【手続補正書】
【提出日】平成28年3月2日(2016.3.2)
【手続補正１】
【補正対象書類名】特許請求の範囲
【補正対象項目名】全文
【補正方法】変更
【補正の内容】
【特許請求の範囲】
【請求項１】
クライアント端末と、当該クライアント端末にネットワークを介して接続されるサーバシステムとを備える検索システムにおいて、
前記サーバシステムは、
前記ネットワークを介して前記クライアント端末から送信されるデータを受信するサーバ受信部と、
前記クライアント端末から前記ネットワークを介して前記サーバ受信部が受信した感性語データに関連付けられた商品の物理量を取得する物理量取得部と、
前記物理量取得部で取得された商品の物理量に関連付けられている商品の画像データを取得する画像検索部と、
前記画像検索部が取得した商品の画像データの表示態様を決定し、当該決定した表示態様を示す表示情報データを生成する画像整列部と、
前記画像検索部によって取得された商品の画像データと前記画像整列部によって生成された前記表示情報データとを、前記ネットワークを介して前記クライアント端末に送信するサーバ送信部と、
ユーザ識別データとユーザ属性データとを関連付けて記憶するユーザ情報データベースと、
前記ユーザ情報データベースにアクセスして、前記クライアント端末から前記ネットワークを介して受信したユーザ識別データに関連付けられている前記ユーザ属性データを取得するユーザ属性情報取得部と、
前記ユーザ属性データに応じて定められる複数の変換テーブルであって、商品の物理量と前記感性語データとが関連付けられた複数の変換テーブルを記憶する変換テーブルデータベースと、
前記変換テーブルデータベースにアクセスして、前記ユーザ属性情報取得部が取得した前記ユーザ属性データに関連付けられている変換テーブルを取得する変換テーブル取得部と、
商品の画像データと当該商品の物理量とを関連付けて記憶する画像データベースと、
を有し、
前記クライアント端末は、
表示部と、
ユーザの指示を受け付けて前記感性語データを特定する端末入力部と、
前記端末入力部が特定した前記感性語データを、前記ネットワークを介して前記サーバシステムに送信する端末送信部と、
前記ネットワークを介して前記サーバシステムから送信される前記商品の画像データと前記表示情報データとを受信する端末受信部と、
前記端末受信部が受信した前記商品の画像データを、前記端末受信部が受信した前記表示情報データに応じて前記表示部に表示させる表示制御部と、を有し、
前記端末入力部は、ユーザの指示を受け付けてユーザ識別データ及び前記感性語データを特定し、
前記端末送信部は、前記端末入力部が特定した前記ユーザ識別データ及び前記感性語データを、前記ネットワークを介して前記サーバシステムに送信し、
前記物理量取得部は、前記変換テーブル取得部が取得した前記変換テーブルを参照して、前記サーバ受信部が受信した前記感性語データに関連付けられた商品の物理量を取得し、
前記画像検索部は、前記画像データベースにアクセスして、前記物理量取得部で取得された商品の物理量に関連付けられている商品の画像データを取得する検索システム。
【請求項２】
前記画像整列部は、前記画像検索部が取得した商品の画像データの表示態様を、当該商品の画像データが、当該商品の特性データに応じて表示されるものとして決定し、
前記表示情報データは、前記画像検索部が取得した商品の画像データが当該商品の特性データに応じて表示される表示態様を示す請求項１に記載の検索システム。
【請求項３】
前記表示情報データは、前記画像検索部が取得した商品の画像データの少なくとも一部が、当該商品の特性データを表す座標系上に表示される表示態様を示す請求項２に記載の検索システム。
【請求項４】
前記商品の特性データは、当該商品の特性のうち、前記端末入力部が特定した前記感性語データとは異なる特性に基づいて定められている請求項２又は３に記載の検索システム。
【請求項５】
前記商品の特性データは、当該商品の価格及び当該商品のサイズのうち少なくともいずれか一方のデータに基づいて定められている請求項２〜４のいずれか一項に記載の検索システム。
【請求項６】
前記商品の物理量は、当該商品の色、当該商品の柄、当該商品の質感及び当該商品の形のうち少なくともいずれか一つに基づいて定められている請求項１〜５のいずれか一項に記載の検索システム。
【請求項７】
前記ユーザ属性データは、ユーザの性別、年齢、人種、国籍、宗教及び宗派のうち少なくともいずれか一つに基づいて定められている請求項１〜６のいずれか一項に記載の検索システム。
【請求項８】
前記表示制御部は、複数の感性語を前記表示部に表示させ、
前記端末入力部は、ユーザからの指示を受け付けて前記表示部に表示される前記複数の感性語のうちの少なくとも一つを特定し、特定された当該感性語を前記感性語データとして特定する請求項１〜７のいずれか一項に記載の検索システム。
【請求項９】
前記商品の画像データは、当該商品を撮影して取得される請求項１〜８のいずれか一項に記載の検索システム。
【請求項１０】
前記商品の画像データには、当該商品の物理量を示すメタデータが付加されており、
前記画像検索部は、前記物理量取得部で取得された商品の物理量を示すメタデータが付加された商品の画像データを、前記物理量取得部で取得された商品の物理量に関連付けられている商品の画像データとして取得する請求項１〜９のいずれか一項に記載の検索システム。
【請求項１１】
前記商品の画像データに関連付けられる前記商品の物理量は、前記商品の画像データを解析することで取得される請求項１〜１０のいずれか一項に記載の検索システム。
【請求項１２】
前記サーバシステムは、前記商品の画像データを解析して当該商品の物理量を取得する画像解析部であって、取得した商品の物理量を商品の画像データと関連付けて前記画像データベースに記憶する画像解析部を更に有する請求項１〜１１のいずれか一項に記載の検索システム。
【請求項１３】
クライアント端末と、当該クライアント端末にネットワークを介して接続されるサーバシステムとを備える検索システムの制御方法において、
前記サーバシステムにおいて、
サーバ受信部によって、前記ネットワークを介して前記クライアント端末から送信されるデータを受信し、
物理量取得部によって、前記クライアント端末から前記ネットワークを介して前記サーバ受信部が受信した感性語データに関連付けられた商品の物理量を取得し、
画像検索部によって、前記物理量取得部で取得された商品の物理量に関連付けられている商品の画像データを取得し、
画像整列部によって、前記画像検索部が取得した商品の画像データの表示態様を決定し、当該決定した表示態様を示す表示情報データを生成し、
サーバ送信部によって、前記画像検索部によって取得された商品の画像データと前記画像整列部によって生成された前記表示情報データとを、前記ネットワークを介して前記クライアント端末に送信し、
ユーザ情報データベースによって、ユーザ識別データとユーザ属性データとを関連付けて記憶し、
ユーザ属性情報取得部によって、前記ユーザ情報データベースにアクセスして、前記クライアント端末から前記ネットワークを介して受信したユーザ識別データに関連付けられている前記ユーザ属性データを取得し、
変換テーブルデータベースによって、前記ユーザ属性データに応じて定められる複数の変換テーブルであって、商品の物理量と前記感性語データとが関連付けられた複数の変換テーブルを記憶し、
変換テーブル取得部によって、前記変換テーブルデータベースにアクセスして、前記ユーザ属性情報取得部が取得した前記ユーザ属性データに関連付けられている変換テーブルを取得し、
画像データベースによって、商品の画像データと当該商品の物理量とを関連付けて記憶し、
前記クライアント端末において、
端末送信部によって、端末入力部がユーザの指示を受け付けて特定した前記感性語データを、前記ネットワークを介して前記サーバシステムに送信し、
端末受信部によって、前記ネットワークを介して前記サーバシステムから送信される前記商品の画像データと前記表示情報データとを受信し、
表示制御部によって、前記端末受信部が受信した前記商品の画像データを、前記端末受信部が受信した前記表示情報データに応じて表示部に表示させる検索システムの制御方法であって、
前記端末入力部によって、ユーザの指示を受け付けてユーザ識別データ及び前記感性語データを特定し、
前記端末送信部によって、前記端末入力部が特定した前記ユーザ識別データ及び前記感性語データを、前記ネットワークを介して前記サーバシステムに送信し、
前記物理量取得部によって、前記変換テーブル取得部が取得した前記変換テーブルを参照して、前記サーバ受信部が受信した前記感性語データに関連付けられた商品の物理量を取得し、
前記画像検索部によって、前記画像データベースにアクセスして、前記物理量取得部で取得された商品の物理量に関連付けられている商品の画像データを取得する検索システムの制御方法。
【手続補正２】
【補正対象書類名】明細書
【補正対象項目名】発明の名称
【補正方法】変更
【補正の内容】
【発明の名称】検索システム及び検索システムの制御方法